(57)【要約】【課題】端末装置から、監視装置に保管されている情報と監視サーバに保管されている情報とを簡単に取得する。【解決手段】送信要求受信部１０４は、特定の情報の送信要求を、端末装置から受信する。特定情報取得部１０５は、特定の情報が、監視装置１００により保管されるべき情報である場合、装置保管情報記憶部１０２から特定の情報を取得する。送信要求送信部１０６は、特定の情報が、監視サーバにより保管されるべき情報である場合、監視サーバに特定の情報の送信要求を送信する。特定情報受信部１０７は、監視サーバから送信された特定の情報を、監視サーバから受信する。特定情報送信部１０８は、特定情報取得部１０５により取得された特定の情報、又は、特定情報受信部１０７により受信された特定の情報を、端末装置に送信する。【選択図】図４
2015073151.tif 000002
【特許請求の範囲】
【請求項１】
設備機器を監視することにより、前記設備機器に関連する情報を取得する機器情報取得手段と、
前記機器情報取得手段により取得された情報のうち、監視装置により保管されるべき情報を記憶する装置保管情報記憶手段と、
前記機器情報取得手段により取得された情報のうち、前記監視装置に接続された監視サーバにより保管されるべき情報を、前記監視サーバに送信するサーバ保管情報送信手段と、
前記機器情報取得手段により取得された情報のうちの特定の情報の送信要求を、端末装置から受信する送信要求受信手段と、
前記送信要求受信手段により受信された送信要求により送信することが要求された特定の情報が、前記監視装置により保管されるべき情報である場合、前記装置保管情報記憶手段から前記特定の情報を取得する特定情報取得手段と、
前記送信要求受信手段により受信された送信要求により送信することが要求された特定の情報が、前記監視サーバにより保管されるべき情報である場合、前記監視サーバに前記特定の情報の送信要求を送信する送信要求送信手段と、
前記送信要求送信手段による送信要求に応答して前記監視サーバから送信された特定の情報を、前記監視サーバから受信する特定情報受信手段と、
前記特定情報取得手段により取得された特定の情報、又は、前記特定情報受信手段により受信された特定の情報を、前記端末装置に送信する特定情報送信手段と、を備える、
ことを特徴とする監視装置。
【請求項２】
前記機器情報取得手段により取得された情報を保管する装置を特定する情報を記憶する装置特定情報記憶手段と、
前記装置特定情報記憶手段に記憶されている情報に基づいて、前記機器情報取得手段により取得された情報と、前記送信要求受信手段により受信された送信要求により送信することが要求された特定の情報と、のそれぞれが、前記監視装置と前記監視サーバとのうちのいずれにより保管されるべき情報であるのかを判別する機器情報判別手段と、をさらに備える、
ことを特徴とする請求項１に記載の監視装置。
【請求項３】
監視装置と、電気通信網を介して前記監視装置に接続された監視サーバと、を備える監視システムであって、
前記監視装置は、
設備機器を監視することにより、前記設備機器に関連する情報を取得する機器情報取得手段と、
前記機器情報取得手段により取得された情報のうち、前記監視装置により保管されるべき情報を記憶する装置保管情報記憶手段と、
前記機器情報取得手段により取得された情報のうち、前記監視装置に接続された前記監視サーバにより保管されるべき情報を、前記監視サーバに送信するサーバ保管情報送信手段と、
前記機器情報取得手段により取得された情報のうちの特定の情報の送信要求を、端末装置から受信する送信要求受信手段と、
前記送信要求受信手段により受信された送信要求により送信することが要求された特定の情報が、前記監視装置により保管されるべき情報である場合、前記装置保管情報記憶手段から前記特定の情報を取得する特定情報取得手段と、
前記送信要求受信手段により受信された送信要求により送信することが要求された特定の情報が、前記監視サーバにより保管されるべき情報である場合、前記監視サーバに前記特定の情報の送信要求を送信する送信要求送信手段と、
前記送信要求送信手段による送信要求に応答して前記監視サーバから送信された特定の情報を、前記監視サーバから受信する特定情報受信手段と、
前記特定情報取得手段により取得された特定の情報、又は、前記特定情報受信手段により受信された特定の情報を、前記端末装置に送信する特定情報送信手段と、を備え、
前記監視サーバは、
前記サーバ保管情報送信手段により送信された情報を受信するサーバ保管情報受信手段と、
前記サーバ保管情報受信手段により受信された情報を記憶するサーバ保管情報記憶手段と、
前記送信要求送信手段により送信された送信要求を受信する送信要求受信手段と、
前記監視サーバが備える送信要求受信手段により送信要求が受信されたことに応答して、前記サーバ保管情報記憶手段に記憶されている情報を、前記監視装置に送信するサーバ保管情報送信手段と、を備える、
ことを特徴とする監視システム。
【請求項４】
監視装置が、設備機器を監視することにより、前記設備機器に関連する情報を取得する機器情報取得ステップと、
前記監視装置が、前記機器情報取得ステップで取得された情報のうち、前記監視装置により保管されるべき情報を記憶する装置保管情報記憶ステップと、
前記監視装置が、前記機器情報取得ステップで取得された情報のうち、前記監視装置に接続された監視サーバにより保管されるべき情報を、前記監視サーバに送信するサーバ保管情報送信ステップと、
前記監視装置が、前記機器情報取得ステップで取得された情報のうちの特定の情報の送信要求を、端末装置から受信する送信要求受信ステップと、
前記送信要求受信ステップで受信された送信要求により送信することが要求された特定の情報が、前記監視装置により保管されるべき情報である場合、前記監視装置が、前記装置保管情報記憶ステップで記憶された前記特定の情報を取得する特定情報取得ステップと、
前記送信要求受信ステップで受信された送信要求により送信することが要求された特定の情報が、前記監視サーバにより保管されるべき情報である場合、前記監視装置が、前記監視サーバに前記特定の情報の送信要求を送信する送信要求送信ステップと、
前記監視装置が、前記送信要求送信ステップにおける送信要求に応答して前記監視サーバから送信された特定の情報を、前記監視サーバから受信する特定情報受信ステップと、
前記監視装置が、前記特定情報取得ステップで取得された特定の情報、又は、前記特定情報受信ステップで受信された特定の情報を、前記端末装置に送信する特定情報送信ステップと、を備える、
ことを特徴とする監視方法。
【請求項５】
監視装置が備えるコンピュータを、
設備機器を監視することにより、前記設備機器に関連する情報を取得する機器情報取得手段、
前記機器情報取得手段により取得された情報のうち、前記監視装置により保管されるべき情報を記憶する装置保管情報記憶手段、
前記機器情報取得手段により取得された情報のうち、前記監視装置に接続された監視サーバにより保管されるべき情報を、前記監視サーバに送信するサーバ保管情報送信手段、
前記機器情報取得手段により取得された情報のうちの特定の情報の送信要求を、端末装置から受信する送信要求受信手段、
前記送信要求受信手段により受信された送信要求により送信することが要求された特定の情報が、前記監視装置により保管されるべき情報である場合、前記装置保管情報記憶手段から前記特定の情報を取得する特定情報取得手段、
前記送信要求受信手段により受信された送信要求により送信することが要求された特定の情報が、前記監視サーバにより保管されるべき情報である場合、前記監視サーバに前記特定の情報の送信要求を送信する送信要求送信手段、
前記送信要求送信手段による送信要求に応答して前記監視サーバから送信された特定の情報を、前記監視サーバから受信する特定情報受信手段、
前記特定情報取得手段により取得された特定の情報、又は、前記特定情報受信手段により受信された特定の情報を、前記端末装置に送信する特定情報送信手段、として機能させる、
ことを特徴とするプログラム。
【発明の詳細な説明】
【技術分野】
【０００１】
本発明は、設備機器を監視し、設備機器に関連する情報を端末装置に送信する監視装置、監視システム、監視方法、及び、プログラムに関する。
【背景技術】
【０００２】
現在、エアコンやテレビなどの設備機器を監視する監視システムが知られている。例えば、特許文献１には、空調機器監視サーバが、マルチ式空調機器を監視する監視装置から故障データを受信し、この故障データに関連する修理進捗情報を生成する遠隔監視システムが開示されている。
【０００３】
特許文献１に開示された遠隔監視システムでは、利用者は、利用者端末を利用して、空調機器監視サーバにログインして、修理進捗情報を変更する。つまり、特許文献１に開示された遠隔監視システムでは、利用者端末は、空調機器監視サーバから、空調機器監視サーバに保管されている情報を取得する。
【先行技術文献】
【特許文献】
【０００４】
【特許文献１】特開２００９−１２９０５４号公報
【発明の概要】
【発明が解決しようとする課題】
【０００５】
ここで、利用者端末から、空調機器監視サーバに保管されている情報のほか、監視装置に保管されている情報も取得したいという要望がある。しかしながら、特許文献１に開示された遠隔監視システムでは、利用者端末から、監視装置に保管されている情報を取得することができなかった。このため、端末装置から、監視装置に保管されている情報と監視サーバに保管されている情報とを簡単に取得することが可能な技術が望まれている。
【０００６】
本発明は、上記問題に鑑みてなされたものであり、端末装置から、監視装置に保管されている情報と監視サーバに保管されている情報とを簡単に取得するのに好適な監視装置、監視システム、監視方法、及び、プログラムを提供することを目的とする。
【課題を解決するための手段】
【０００７】
上記目的を達成するために、本発明に係る監視装置は、
設備機器を監視することにより、前記設備機器に関連する情報を取得する機器情報取得手段と、
前記機器情報取得手段により取得された情報のうち、前記監視装置により保管されるべき情報を記憶する装置保管情報記憶手段と、
前記機器情報取得手段により取得された情報のうち、前記監視装置に接続された監視サーバにより保管されるべき情報を、前記監視サーバに送信するサーバ保管情報送信手段と、
前記機器情報取得手段により取得された情報のうちの特定の情報の送信要求を、端末装置から受信する送信要求受信手段と、
前記送信要求受信手段により受信された送信要求により送信することが要求された特定の情報が、前記監視装置により保管されるべき情報である場合、前記装置保管情報記憶手段から前記特定の情報を取得する特定情報取得手段と、
前記送信要求受信手段により受信された送信要求により送信することが要求された特定の情報が、前記監視サーバにより保管されるべき情報である場合、前記監視サーバに前記特定の情報の送信要求を送信する送信要求送信手段と、
前記送信要求送信手段による送信要求に応答して前記監視サーバから送信された特定の情報を、前記監視サーバから受信する特定情報受信手段と、
前記特定情報取得手段により取得された特定の情報、又は、前記特定情報受信手段により受信された特定の情報を、前記端末装置に送信する特定情報送信手段と、を備える、
ことを特徴とする。
【発明の効果】
【０００８】
本発明によれば、監視装置は、端末装置から、監視サーバが保管している情報を要求された場合、要求された情報を監視サーバから取得する。従って、本発明によれば、端末装置から、監視装置に保管されている情報と監視サーバに保管されている情報とを簡単に取得することができる。
【図面の簡単な説明】
【０００９】
【図１】本発明の実施形態に係る監視システムの構成図である。
【図２】本発明の実施形態に係る監視装置の構成図である。
【図３】本発明の実施形態に係る監視サーバの構成図である。
【図４】本発明の実施形態に係る監視装置の機能を説明するための図である。
【図５】装置特定情報を示す図である。
【図６】現在状態情報を示す図である。
【図７】異常履歴情報を示す図である。
【図８】電力履歴情報を示す図である。
【図９】機器情報の取得時の処理の流れを示すシーケンス図である。
【図１０】機器情報の送信時の処理の流れを示すシーケンス図である。
【図１１】本発明の実施形態に係る監視装置が実行する設備機器監視処理を示すフローチャートである。
【発明を実施するための形態】
【００１０】
以下、本発明の実施形態を、図面を参照して説明する。
【００１１】
まず、本発明の実施形態に係る監視システム１０００について説明する。図１に示すように、監視システム１０００は、監視装置１００と、監視装置１２０と、監視サーバ２００と、監視サーバ２１０と、端末装置３００と、端末装置３１０と、端末装置３２０と、設備機器４００と、設備機器４１０と、設備機器４２０と、電気通信網５００と、を備える。
【００１２】
監視システム１０００は、工場やオフィス内に配置されている設備機器を、物件毎に監視するシステムである。ここで、１つの物件は、１つの監視装置と、１つ以上の設備機器を備えるものとする。図１は、監視システム１０００により、監視装置１００と端末装置３００と設備機器４００とを備える物件１と、監視装置１２０と端末装置３１０と設備機器４１０と設備機器４２０とを備える物件２と、の２つの物件が監視されている例を示している。なお、１つの物件は、保守作業を実行する最小単位と考えることができる。
【００１３】
監視装置１００は、利用者による指示、端末装置３００からの指示、自動プログラムなどに従って、物件１が備える設備機器４００を監視する。例えば、監視装置１００は、設備機器４００から取得した、設備機器４００に関わる情報（以下、適宜「機器情報」という。）に基づいて、設備機器４００を監視する。機器情報は、例えば、利用者が保守作業を実行する際に用いられる。
【００１４】
監視装置１００は、取得した機器情報のうち、自らが保管すべき情報（以下、適宜「装置保管情報」という。）を保管する。また、監視装置１００は、取得した機器情報のうち、サーバが保管すべき情報（以下、適宜「サーバ保管情報」という。）を、監視サーバ２００や監視サーバ２１０に保管させる。より詳細には、監視装置１００は、サーバ保管情報のうち異常履歴情報を監視サーバ２００に保管させ、サーバ保管情報のうち電力履歴情報を監視サーバ２１０に保管させる。また、監視装置１００は、端末装置３００からの送信要求に従って、取得した機器情報を端末装置３００に送信する。監視装置１００は、設備機器４００を監視する機能に加え、設備機器４００を制御する機能を備えていてもよい。
【００１５】
監視装置１２０は、利用者による指示、端末装置３１０からの指示、自動プログラムなどに従って、物件２が備える、設備機器４１０と設備機器４２０とを監視する。例えば、監視装置１２０は、設備機器４１０と設備機器４２０とのそれぞれから取得した機器情報に基づいて、設備機器４１０と設備機器４２０とを監視する。監視装置１２０は、取得した機器情報のうち装置保管情報を保管する。また、監視装置１２０は、取得した機器情報のうちサーバ保管情報を、監視サーバ２００や監視サーバ２１０に保管させる。より詳細には、監視装置１２０は、サーバ保管情報のうち異常履歴情報を監視サーバ２００に保管させ、サーバ保管情報のうち電力履歴情報を監視サーバ２１０に保管させる。また、監視装置１２０は、端末装置３１０からの送信要求に従って、取得した機器情報を端末装置３１０に送信する。監視装置１２０は、設備機器４１０と設備機器４２０とを監視する機能に加え、設備機器４１０と設備機器４２０とを制御する機能を備えていてもよい。
【００１６】
監視サーバ２００は、利用者による指示、端末装置３２０からの指示、自動プログラムなどに従って、物件１と物件２とを監視する。例えば、監視サーバ２００は、監視装置１００と監視装置１２０とのそれぞれから受信した異常履歴情報に基づいて、物件１と物件２とを監視する。監視サーバ２００は、受信した異常履歴情報を保管する。また、監視サーバ２００は、監視装置１００や監視装置１２０からの送信要求に従って、保管している異常履歴情報を、監視装置１００や監視装置１２０に送信する。監視サーバ２００は、例えば、物件１や物件２をメンテナンスする際に用いられる異常履歴情報を記憶するサーバである。
【００１７】
監視サーバ２１０は、利用者による指示、端末装置３２０からの指示、自動プログラムなどに従って、物件１と物件２とを監視する。例えば、監視サーバ２１０は、監視装置１００と監視装置１２０とのそれぞれから受信した電力履歴情報に基づいて、物件１と物件２とを監視する。監視サーバ２１０は、受信した電力履歴情報を保管する。また、監視サーバ２１０は、監視装置１００や監視装置１２０からの送信要求に従って、保管している電力履歴情報を、監視装置１００や監視装置１２０に送信する。監視サーバ２１０は、例えば、物件１や物件２をエネルギーマネージメントする際に用いられる電力履歴情報を記憶するサーバである。
【００１８】
端末装置３００は、監視装置１００のインターフェースとしての機能を有する。端末装置３００は、利用者による指示、自動プログラムなどに従って、設備機器４００の機器情報の送信要求を監視装置１００に送信する。そして、端末装置３００は、設備機器４００の機器情報を監視装置１００から受信する。端末装置３００の利用者は、例えば、物件１を管理する管理者や、物件１に居住する居住者である。端末装置３００は、例えば、スマートフォン、携帯電話、タブレット端末である。
【００１９】
端末装置３１０は、監視装置１２０のインターフェースとしての機能を有する。端末装置３１０は、利用者による指示、自動プログラムなどに従って、設備機器４１０や設備機器４２０の機器情報の送信要求を監視装置１２０に送信する。そして、端末装置３１０は、設備機器４１０や設備機器４２０の機器情報を監視装置１２０から受信する。端末装置３１０の利用者は、例えば、物件２を管理する管理者や、物件２に居住する居住者である。端末装置３１０は、例えば、スマートフォン、携帯電話、タブレット端末である。
【００２０】
端末装置３２０は、監視装置１００や監視装置１２０のインターフェースとしての機能を有する。端末装置３２０は、利用者による指示、自動プログラムなどに従って、設備機器４００の機器情報の送信要求を監視装置１００に送信し、設備機器４１０や設備機器４２０の機器情報の送信要求を監視装置１２０に送信する。そして、端末装置３２０は、設備機器４００の機器情報を監視装置１００から受信し、設備機器４１０や設備機器４２０の機器情報を監視装置１２０から受信する。端末装置３２０の利用者は、例えば、物件１と物件２とを管理する管理者やサービスマンである。端末装置３２０は、例えば、スマートフォン、携帯電話、タブレット端末である。
【００２１】
設備機器４００、４１０、４２０のそれぞれは、監視や制御の対象となる機器であり、例えば、工場やオフィス内に配置される。設備機器４００は、監視装置１００からの指示、自動プログラムなどに従って、機器情報を監視装置１００に送信する。設備機器４１０、４２０のそれぞれは、監視装置１２０からの指示、自動プログラムなどに従って、機器情報を監視装置１２０に送信する。設備機器４００、４１０、４２０のそれぞれは、例えば、エアコン、給湯器、電気ストーブ、炊飯器、照明装置、電気カーペットである。本実施形態では、設備機器４００、４１０、４２０のそれぞれは、エアコンであるものとして説明する。
【００２２】
電気通信網５００は、例えば、インターネットや電話回線網などの広域ネットワークである。電気通信網５００は、監視装置１００と、監視装置１２０と、監視サーバ２００と、監視サーバ２１０と、端末装置３２０と、を相互に接続する。なお、理解を容易にするため、図１では、ルータ、ゲートウェイなどの図示を省略している。
【００２３】
次に、図２を参照して、監視装置１００の物理的な構成について説明する。図２に示すように、監視装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、電気通信網インターフェース１７、端末装置インターフェース１８、設備機器インターフェース１９を備える。監視装置１００が備える各構成要素は、バスを介して相互に接続される。
【００２４】
ＣＰＵ１１は、監視装置１００の全体の動作を制御する。なお、ＣＰＵ１１は、ＲＯＭ１２に格納されているプログラムに従って動作し、ＲＡＭ１３をワークエリアとして使用する。
【００２５】
ＲＯＭ１２には、監視装置１００の全体の動作を制御するためのプログラムやデータが記憶される。
【００２６】
ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２７】
フラッシュメモリ１４は、各種の情報を記憶する不揮発性メモリである。例えば、フラッシュメモリ１４は、装置保管情報を記憶する。なお、監視装置１００は、フラッシュメモリ１４に代えて、ハードディスクなどを備えていてもよい。
【００２８】
ＲＴＣ１５は、計時用のデバイスである。ＲＴＣ１５は、例えば、電池を内蔵し、監視装置１００の電源がオフの間も計時を継続する。ＲＴＣ１５は、例えば、水晶発振子を備える発振回路を備える。
【００２９】
タッチスクリーン１６は、利用者によりなされたタッチ操作を検知し、検知の結果を示す信号をＣＰＵ１１に供給する。また、タッチスクリーン１６は、ＣＰＵ１１などから供給された画像信号に基づく画像を表示する。このように、タッチスクリーン１６は、監視装置１００のユーザインターフェースとして機能する。
【００３０】
電気通信網インターフェース１７は、インターネットプロトコルなどにより、監視装置１００を電気通信網５００に接続する。電気通信網インターフェース１７は、ＣＰＵ１１による制御に従って、監視装置１２０、監視サーバ２００、監視サーバ２１０、端末装置３２０などと通信する。電気通信網インターフェース１７は、例えば、ＮＩＣ（Network Interface Card）などのＬＡＮインターフェースを備える。
【００３１】
端末装置インターフェース１８は、アドホック通信やネットワーク通信により、端末装置３００と通信する。端末装置インターフェース１８は、ＵＳＢ（Universal Serial Bus）やＩＥＥＥ（Institute of Electrical and Electronic Engineers）１３９４などのシリアル通信用のインターフェースであってもよいし、ＮＩＣなどのＬＡＮインターフェースであってもよい。
【００３２】
設備機器インターフェース１９は、アドホック通信やネットワーク通信により、端末装置３００と通信する。設備機器インターフェース１９は、ＵＳＢやＩＥＥＥ１３９４などのシリアル通信用のインターフェースであってもよいし、ＮＩＣなどのＬＡＮインターフェースであってもよい。
【００３３】
次に、図３を参照して、監視サーバ２００の物理的な構成について説明する。図３に示すように監視サーバ２００は、ＣＰＵ２１、ＲＯＭ２２、ＲＡＭ２３、ハードディスク２４、ＲＴＣ２５、タッチスクリーン２６、電気通信網インターフェース２７を備える。監視サーバ２００が備える各構成要素は、バスを介して相互に接続される。
【００３４】
ＣＰＵ２１は、監視サーバ２００の全体の動作を制御する。なお、ＣＰＵ２１は、ＲＯＭ２２に格納されているプログラムに従って動作し、ＲＡＭ２３をワークエリアとして使用する。
【００３５】
ＲＯＭ２２には、監視サーバ２００の全体の動作を制御するためのプログラムやデータが記憶される。
【００３６】
ＲＡＭ２３は、ＣＰＵ２１のワークエリアとして機能する。つまり、ＣＰＵ２１は、ＲＡＭ２３にプログラムやデータを一時的に書き込み、これらのプログラムやデータを適宜参照する。
【００３７】
ハードディスク２４は、各種の情報を記憶する記憶装置である。ハードディスク２４は、例えば、異常履歴情報を記憶する。なお、監視サーバ２００は、ハードディスク２４に代えて、フラッシュメモリなどを備えていてもよい。
【００３８】
ＲＴＣ２５は、計時用のデバイスである。ＲＴＣ２５は、例えば、電池を内蔵し、監視サーバ２００の電源がオフの間も計時を継続する。ＲＴＣ２５は、例えば、水晶発振子を備える発振回路を備える。
【００３９】
タッチスクリーン２６は、利用者によりなされたタッチ操作を検知し、検知の結果を示す信号をＣＰＵ２１に供給する。また、タッチスクリーン２６は、ＣＰＵ２１などから供給された画像信号に基づく画像を表示する。このように、タッチスクリーン２６は、監視サーバ２００のユーザインターフェースとして機能する。
【００４０】
電気通信網インターフェース２７は、インターネットプロトコルにより、監視サーバ２００を電気通信網５００に接続する。電気通信網インターフェース２７は、ＣＰＵ２１による制御に従って、監視装置１００、監視装置１２０、監視サーバ２１０、端末装置３２０などと通信する。電気通信網インターフェース２７は、例えば、ＮＩＣなどのＬＡＮインターフェースを備える。
【００４１】
なお、監視装置１２０の物理的な構成は、基本的に、監視装置１００の物理的な構成と同様である。また、監視サーバ２１０の物理的な構成は、基本的に、監視サーバ２００の物理的な構成と同様である。さらに、端末装置３００、端末装置３１０、端末装置３２０、設備機器４００、設備機器４１０、設備機器４２０のそれぞれは、監視装置１００や監視サーバ２００と同様に、制御装置（ＣＰＵ、ＲＯＭ、ＲＡＭ）、記憶装置（フラッシュメモリ）、計時装置（ＲＴＣ）、入出力装置（タッチスクリーン）、通信装置（電気通信網インターフェース）などを備えるが、詳細な説明は省略する。
【００４２】
次に、図４を参照して、監視装置１００の基本的な機能について説明する。監視装置１００は、機能的には、機器情報取得部１０１、装置保管情報記憶部１０２、サーバ保管情報送信部１０３、送信要求受信部１０４、特定情報取得部１０５、送信要求送信部１０６、特定情報受信部１０７、特定情報送信部１０８、装置特定情報記憶部１０９、機器情報判別部１１０を備える。
【００４３】
機器情報取得部１０１は、設備機器４００を監視することにより、設備機器４００に関連する情報（機器情報）を取得する。機器情報取得部１０１は、例えば、ＣＰＵ１１と設備機器インターフェース１９とを備える。
【００４４】
装置保管情報記憶部１０２は、機器情報取得部１０１により取得された情報（機器情報）のうち、監視装置１００により保管されるべき情報（装置保管情報）を記憶する。装置保管情報記憶部１０２は、例えば、ＣＰＵ１１とフラッシュメモリ１４とを備える。
【００４５】
サーバ保管情報送信部１０３は、機器情報取得部１０１により取得された情報（機器情報）のうち、監視装置１００に接続された監視サーバ２００、２１０により保管されるべき情報（サーバ保管情報）を、監視サーバ２００、２１０に送信する。サーバ保管情報送信部１０３は、例えば、ＣＰＵ１１と電気通信網インターフェース１７とを備える。
【００４６】
送信要求受信部１０４は、機器情報取得部１０１により取得された情報（機器情報）のうちの特定の情報（以下、適宜「特定情報」という。）の送信要求を、端末装置３００から受信する。送信要求受信部１０４は、例えば、端末装置インターフェース１８を備える。
【００４７】
特定情報取得部１０５は、送信要求受信部１０４により受信された送信要求により送信することが要求された特定の情報（特定情報）が、監視装置１００により保管されるべき情報（装置保管情報）である場合、装置保管情報記憶部１０２から特定の情報（特定情報）を取得する。特定情報取得部１０５は、例えば、ＣＰＵ１１を備える。
【００４８】
送信要求送信部１０６は、送信要求受信部１０４により受信された送信要求により送信することが要求された特定の情報（特定情報）が、監視サーバ２００、２１０により保管されるべき情報（サーバ保管情報）である場合、監視サーバ２００、２１０に特定の情報（特定情報）の送信要求を送信する。
【００４９】
特定情報受信部１０７は、送信要求送信部１０６による送信要求に応答して監視サーバ２００、２１０から送信された特定の情報（特定情報）を、監視サーバ２００、２１０から受信する。特定情報受信部１０７は、例えば、電気通信網インターフェース１７を備える。
【００５０】
特定情報送信部１０８は、特定情報取得部１０５により取得された特定の情報（特定情報）、又は、特定情報受信部１０７により受信された特定の情報（特定情報）を、端末装置３００に送信する。特定情報送信部１０８は、例えば、ＣＰＵ１１と端末装置インターフェース１８とを備える。
【００５１】
装置特定情報記憶部１０９は、機器情報取得部１０１により取得された情報（機器情報）を保管する装置を特定する情報（以下、適宜「装置特定情報」という。）を記憶する。装置特定情報記憶部１０９は、例えば、フラッシュメモリ１４を備える。
【００５２】
機器情報判別部１１０は、装置特定情報記憶部１０９に記憶されている情報（装置特定情報）に基づいて、機器情報取得部１０１により取得された情報（機器情報）と、送信要求受信部１０４により受信された送信要求により送信することが要求された特定の情報（特定情報）と、のそれぞれが、監視装置１００と監視サーバ２００と監視サーバ２１０とのうちのいずれにより保管されるべき情報であるのかを判別する。機器情報判別部１１０は、例えば、ＣＰＵ１１を備える。
【００５３】
次に、図５を参照して、装置特定情報について説明する。装置特定情報は、機器情報と、この機器情報を保管する装置（以下、適宜「保管装置」という。）と、を相互に対応付ける情報である。つまり、装置特定情報は、監視システム１０００における機器情報のデータ配置を示す情報である。
【００５４】
図５は、設備機器４００の機器情報の保管装置を示す装置特定情報を示している。図５に示す装置特定情報は、設備機器４００の運転状態を示す情報と設備機器４００の運転モードを示す情報とが監視装置１００に保管され、設備機器４００の異常履歴を示す情報が監視サーバ２００に保管され、設備機器４００の電力履歴を示す情報が監視サーバ２１０に保管されることを示している。なお、保管装置は、ＵＲＬ（Uniform Resource Locator）などにより表すことができる。
【００５５】
なお、設備機器４００の機器情報のうち、監視装置１００により保管される情報が装置保管情報であり、監視サーバ２００又は監視サーバ２１０により保管される情報がサーバ保管情報である。設備機器４００の機器情報を保管する装置を示す装置特定情報は、監視装置１００が備えるフラッシュメモリ１４に記憶される。一方、設備機器４１０の機器情報を保管する装置を示す装置特定情報や設備機器４２０の機器情報を保管する装置を示す装置特定情報は、監視装置１２０が備えるフラッシュメモリ１４に記憶される。
【００５６】
なお、監視サーバ２００と監視サーバ２１０とのそれぞれが備えるハードディスク２４には、設備機器４００の機器情報を保管する装置を示す装置特定情報と、設備機器４１０の機器情報を保管する装置を示す装置特定情報と、設備機器４２０の機器情報を保管する装置を示す装置特定情報と、が記憶される。従って、監視サーバ２００と監視サーバ２１０とのそれぞれは、監視システム１０００内に存在する全ての設備機器（設備機器４００、４１０、４２０）の全ての機器情報のそれぞれが、どの装置に保管されているのかを把握することができる。
【００５７】
また、装置特定情報は、監視システム１０００のシステム構成の変更に伴って、利用者などにより、適宜、変更される。利用者は、例えば、端末装置３００、３１０、３２０を利用して、装置特定情報を変更することができる。なお、監視装置１００が保持する装置特定情報と、監視装置１２０が保持する装置特定情報と、監視サーバ２００が保持する装置特定情報と、監視サーバ２１０が保持する装置特定情報とは、いずれも矛盾しないように、適宜、同期して更新される。
【００５８】
次に、図６を参照して、現在状態情報について説明する。現在状態情報は、運転状態と運転モードの現在の状態を示す情報である。図６は、設備機器４００に関する現在状態情報を示している。図６に示す現在状態情報は、設備機器４００の運転状態が運転中であり、設備機器４００の運転モードが冷房であることを示している。このように、設備機器４００のリモコンで操作する対象となるような情報を、現在状態情報とすることができる。
【００５９】
現在状態情報のように頻繁に更新される情報は、通信のための処理負荷や通信量が増大しないように、装置保管情報であることが望ましい。従って、設備機器４００に関わる現在状態情報は、監視装置１００が備えるフラッシュメモリ１４に記憶される。また、設備機器４１０に関わる現在状態情報や、設備機器４２０に関わる現在状態情報は、監視装置１２０が備えるフラッシュメモリ１４に記憶される。
【００６０】
次に、図７を参照して、異常履歴情報について説明する。異常履歴情報は、異常の発生履歴を示す情報である。図７は、設備機器４００に関する異常履歴情報を示している。異常履歴情報は、例えば、異常が発生した設備機器と、異常が発生した発生時刻と、故障番号と、を相互に対応付ける情報である。
【００６１】
異常履歴情報のように監視という目的のために重要である情報は、サーバ保管情報であることが望ましい。そこで、設備機器４００に関わる異常履歴情報は、監視サーバ２００が備えるハードディスク２４に記憶される。また、設備機器４１０に関わる異常履歴情報や、設備機器４２０に関わる異常履歴情報も、監視サーバ２００が備えるハードディスク２４に記憶される。
【００６２】
次に、図８を参照して、電力履歴情報について説明する。電力履歴情報は、消費された電力の履歴を示す情報である。図８は、設備機器４００に関する電力履歴情報を示している。電力履歴情報は、例えば、電力を消費した設備機器と、電力を測定した時刻と、電力（Ｗ）と、を相互に対応付ける情報である。なお、図８には、設備機器４００が消費している電力を３０分毎に測定する場合の電力履歴情報を示している。
【００６３】
電力履歴情報のように監視という目的のために重要である情報は、サーバ保管情報であることが望ましい。そこで、設備機器４００に関する電力履歴情報は、監視サーバ２１０が備えるハードディスク２４に記憶される。また、設備機器４１０に関する電力履歴情報や、設備機器４２０に関する電力履歴情報も、監視サーバ２１０が備えるハードディスク２４に記憶される。
【００６４】
このように、装置保管情報は、典型的には、機器情報のうち、監視サーバ２００や監視サーバ２１０が保管するよりも監視装置１００が保管する方が望ましい情報である。一方、サーバ保管情報は、典型的には、機器情報のうち、監視装置１００が保管するよりも監視サーバ２００や監視サーバ２１０が保管する方が望ましい情報である。例えば、装置保管情報は、履歴を残すほどでもない情報であって、時々刻々と変化する情報や特殊な情報である。また、例えば、サーバ管理情報は、履歴を残すべき重要な情報であって、汎用的な情報やデータ量が大きい情報である。
【００６５】
次に、図９を参照して、機器情報の取得時の処理の流れについて説明する。以下、監視装置１００が設備機器４００の機器情報を取得する例について説明する。
【００６６】
まず、設備機器４００の運転状態が変化した場合、設備機器４００は、運転状態が変化した旨を、監視装置１００に通知する（ＳＴ１０１）。一方、監視装置１００は、設備機器４００から、運転状態が変化した旨の通知を受けると、この通知に基づいて現在状態情報を更新する。具体的には、監視装置１００は、フラッシュメモリ１４に記憶されている現在状態情報により示される、設備機器４００の運転状態の現在の状態が、通知により示される状態になるように、現在状態情報を書き換える。
【００６７】
また、設備機器４００の運転モードが変化した場合、設備機器４００は、運転モードが変化した旨を、監視装置１００に通知する（ＳＴ１０２）。一方、監視装置１００は、設備機器４００から、運転モードが変化した旨の通知を受けると、この通知に基づいて現在状態情報を更新する。具体的には、監視装置１００は、フラッシュメモリ１４に記憶されている現在状態情報により示される、設備機器４００の運転モードの現在の状態が、通知により示される状態になるように、現在状態情報を書き換える。
【００６８】
ここで、設備機器４００に異常が発生した場合、設備機器４００は、異常が発生した旨を、監視装置１００に通知する（ＳＴ１０３）。一方、監視装置１００は、設備機器４００から、異常が発生した旨の通知を受けると、設備機器４００に異常が発生した旨を、監視サーバ２００に通知する（ＳＴ１０４）。そして、監視サーバ２００は、監視装置１００から、設備機器４００に異常が発生した旨の通知を受けると、この通知に基づいて異常履歴情報を更新する。具体的には、監視サーバ２００は、ハードディスク２４に記憶されている異常履歴情報により示される、設備機器４００の異常履歴が、通知により示される異常履歴を含むように、異常履歴情報を書き換える。
【００６９】
また、監視装置１００は、電力の測定時刻が到来したことを検知した場合、消費している電力を示す情報（以下、適宜「電力情報」という。）を送信することを、設備機器４００に要求する（ＳＴ１０５）。一方、設備機器４００は、電力情報を送信することの要求を受けたことに応答して、電力情報を監視装置１００に送信する（ＳＴ１０６）。監視装置１００は、設備機器４００から電力情報を受信すると、受信した電力情報を、監視サーバ２１０に送信する（ＳＴ１０７）。一方、監視サーバ２１０は、監視装置１００から、電力情報を受信すると、受信した電力情報に基づいて電力履歴情報を更新する。具体的には、監視サーバ２１０は、ハードディスク２４に記憶されている電力履歴情報により示される、設備機器４００の電力履歴が、受信した電力情報を含むように、電力履歴情報を書き換える。
【００７０】
なお、監視装置１００は、フラッシュメモリ１４に記憶されている装置特定情報を参照することにより、更新すべき情報がどの装置に記憶されているのかを判別することができる。
【００７１】
次に、図１０を参照して、機器情報の送信時の処理の流れについて説明する。以下、監視装置１００が設備機器４００の機器情報を端末装置３００に送信する例について説明する。
【００７２】
まず、端末装置３００は、利用者などから現在状態情報の取得指示を受け付けた場合、現在状態情報を送信することを、監視装置１００に要求する（ＳＴ２０１）。一方、監視装置１００は、現在状態情報を送信することの要求を端末装置３００から受け付けると、フラッシュメモリ１４に記憶されている現在状態情報を、端末装置３００に送信する（ＳＴ２０２）。
【００７３】
また、端末装置３００は、利用者などから異常履歴情報の取得指示を受け付けた場合、異常履歴情報を送信することを、監視装置１００に要求する（ＳＴ２０３）。一方、監視装置１００は、異常履歴情報を送信することの要求を端末装置３００から受け付けると、異常履歴情報を送信することを、監視サーバ２００に要求する（ＳＴ２０４）。ここで、監視サーバ２００は、異常履歴情報を送信することの要求を監視装置１００から受け付けると、ハードディスク２４に記憶されている異常履歴情報を、監視装置１００に送信する（ＳＴ２０５）。一方、監視装置１００は、監視サーバ２００から異常履歴情報を受信すると、受信した異常履歴情報を端末装置３００に送信する（ＳＴ２０６）。
【００７４】
そして、端末装置３００は、利用者などから電力履歴情報の取得指示を受け付けた場合、電力履歴情報を送信することを、監視装置１００に要求する（ＳＴ２０７）。一方、監視装置１００は、電力履歴情報を送信することの要求を端末装置３００から受け付けると、電力履歴情報を送信することを、監視サーバ２１０に要求する（ＳＴ２０８）。ここで、監視サーバ２１０は、電力履歴情報を送信することの要求を監視装置１００から受け付けると、ハードディスク２４に記憶されている電力履歴情報を、監視装置１００に送信する（ＳＴ２０９）。一方、監視装置１００は、監視サーバ２１０から電力履歴情報を受信すると、受信した電力履歴情報を端末装置３００に送信する（ＳＴ２１０）。
【００７５】
なお、監視装置１００は、フラッシュメモリ１４に記憶されている装置特定情報を参照することにより、取得することが指示された情報がどの装置に記憶されているのかを判別することができる。
【００７６】
次に、図１１に示すフローチャートを参照して、監視装置１００が実行する設備機器監視処理について説明する。なお、監視装置１００は、電源が投入されたことに応答して、図１１に示す設備機器監視処理を開始する。
【００７７】
まず、ＣＰＵ１１は、設備機器４００から機器情報を受信したか否かを判別する（ステップＳ１０１）。例えば、ＣＰＵ１１は、設備機器インターフェース１９を監視することにより、設備機器インターフェース１９により機器情報が受信されたか否かを判別することができる。
【００７８】
ＣＰＵ１１は、設備機器４００から機器情報を受信したと判別すると（ステップＳ１０１：ＹＥＳ）、機器情報が装置保管情報であるか否かを判別する（ステップＳ１０２）。例えば、ＣＰＵ１１は、フラッシュメモリ１４に記憶されている装置特定情報を参照することにより、機器情報が装置保管情報であるか否かを判別することができる。
【００７９】
ＣＰＵ１１は、機器情報が装置保管情報であると判別すると（ステップＳ１０２：ＹＥＳ）、機器情報を内部記憶装置に保存する（ステップＳ１０３）。具体的には、ＣＰＵ１１は、機器情報をフラッシュメモリ１４に記憶する。
【００８０】
一方、ＣＰＵ１１は、機器情報が装置保管情報でないと判別すると（ステップＳ１０２：ＮＯ）、機器情報を監視サーバ２００又は監視サーバ２１０に送信する（ステップＳ１０４）。具体的には、例えば、ＣＰＵ１１は、電気通信網インターフェース１７を制御して、機器情報を監視サーバ２００又は監視サーバ２１０に送信することができる。一方、監視サーバ２００又は監視サーバ２１０は、受信した機器情報（サーバ保管情報）を、ハードディスク２４などに記憶する。なお、ＣＰＵ１１は、フラッシュメモリ１４に記憶されている装置特定情報を参照することにより、監視サーバ２００と監視サーバ２１０とのうちのいずれに機器情報を送信するのかを決定することができる。
【００８１】
ＣＰＵ１１は、設備機器４００から機器情報を受信していないと判別した場合（ステップＳ１０１：ＮＯ）、ステップＳ１０３又はステップＳ１０４の処理を完了した場合、端末装置３００から特定情報の送信要求を受信したか否かを判別する（ステップＳ１０５）。例えば、ＣＰＵ１１は、端末装置インターフェース１８を監視することにより、端末装置インターフェース１８により特定情報の送信要求が受信されたか否かを判別することができる。なお、特定情報は、機器情報のうちのいずれかの情報であり、例えば、現在状態情報、異常履歴情報、電力履歴情報のうちのいずれかの情報である。
【００８２】
ＣＰＵ１１は、端末装置３００から特定情報の送信要求を受信したと判別すると（ステップＳ１０５：ＹＥＳ）、特定情報が装置保管情報であるか否かを判別する（ステップＳ１０６）。なお、ＣＰＵ１１は、フラッシュメモリ１４に記憶されている装置特定情報を参照することにより、特定情報が装置保管情報とサーバ保管情報とのいずれであるのかを判別することができる。
【００８３】
ＣＰＵ１１は、特定情報が装置保管情報であると判別すると（ステップＳ１０６：ＹＥＳ）、特定情報を内部記憶装置から読み出す（ステップＳ１０７）。具体的には、ＣＰＵ１１は、フラッシュメモリ１４から特定情報を読み出す。
【００８４】
一方、ＣＰＵ１１は、特定情報が装置保管情報でないと判別すると（ステップＳ１０６：ＮＯ）、特定情報の送信要求を監視サーバ２００又は監視サーバ２１０に送信する（ステップＳ１０８）。具体的には、ＣＰＵ１１は、電気通信網インターフェース１７を制御することにより、特定情報の送信要求を監視サーバ２００又は監視サーバ２１０に送信することができる。なお、ＣＰＵ１１は、フラッシュメモリ１４に記憶されている装置特定情報を参照することにより、特定情報の送信要求を、監視サーバ２００と監視サーバ２１０とのうちのいずれに送信するのかを決定することができる。
【００８５】
一方、特定情報の送信要求を受信した、監視サーバ２００又は監視サーバ２１０は、送信することが要求された特定情報を、ハードディスク２４から読み出し、監視装置１００に送信する。なお、監視サーバ２００が送信する特定情報は異常履歴情報であり、監視サーバ２１０が送信する特定情報は電力履歴情報である。
【００８６】
ＣＰＵ１１は、ステップＳ１０８の処理を完了すると、監視サーバ２００又は監視サーバ２１０から特定情報を受信する（ステップＳ１０９）。なお、ＣＰＵ１１は、電気通信網インターフェース１７を監視することにより、電気通信網インターフェース１７により特定情報が受信されたことを検知することができる。
【００８７】
ＣＰＵ１１は、ステップＳ１０７又はステップＳ１０９の処理を完了すると、特定情報を端末装置３００に送信する（ステップＳ１１０）。例えば、ＣＰＵ１１は、フラッシュメモリ１４から読み出した現在状態情報を、端末装置インターフェース１８を制御して、端末装置３００に送信する。あるいは、ＣＰＵ１１は、電気通信網インターフェース１７が監視サーバ２００から受信した異常履歴情報を、端末装置インターフェース１８を制御して、端末装置３００に送信する。あるいは、ＣＰＵ１１は、電気通信網インターフェース１７が監視サーバ２１０から受信した電力履歴情報を、端末装置インターフェース１８を制御して、端末装置３００に送信する。
【００８８】
ＣＰＵ１１は、端末装置３００から特定情報の送信要求を受信していないと判別した場合（ステップＳ１０５：ＮＯ）、又は、ステップＳ１１０の処理を完了した場合、ステップＳ１０１に処理を戻す。
【００８９】
本実施形態によれば、端末装置３００は、監視装置１００により保管されている装置保管情報と、監視サーバ２００又は監視サーバ２１０により保管されているサーバ保管情報とのいずれも、監視装置１００から取得することができる。従って、本実施形態によれば、端末装置３００は、一元的に監視装置１００にアクセスするだけで、異なる装置に保管されている機器情報を取得することができる。つまり、端末装置３００、又は、端末装置３００の利用者は、機器情報の配置を意識せずに、機器情報にアクセスすることができる。また、端末装置３００は、監視装置１００にアクセスするための通信手段を備えているだけでよい。
【００９０】
また、本実施形態によれば、監視装置１００は、装置特定情報を参照することにより、設備機器４００から取得した機器情報を保管すべき装置と、端末装置３００に送信することが要求された機器情報が保管されている装置とを把握することができる。
【００９１】
（変形例）
以上、本発明の実施形態を説明したが、本発明を実施するにあたっては、種々の形態による変形及び応用が可能である。
【００９２】
本発明において、上記実施形態において説明した構成、機能、動作のどの部分を採用するのかは任意である。また、本発明において、上述した構成、機能、動作のほか、更なる構成、機能、動作が採用されてもよい。
【００９３】
本発明において、監視システムが備える、物件、監視装置、監視サーバ、端末装置、設備機器などの個数や配置は、図１に示す例に限定されない。例えば、物件の個数は、１つであってもよいし、３つ以上であってもよい。また、１つの物件が備える、監視装置、監視サーバ、端末装置、設備機器の個数は、任意である。
【００９４】
上記実施形態では、設備機器４００の機器情報を取得するために監視装置１００にアクセスする装置が、端末装置３００である例について説明した。本発明において、設備機器４００の機器情報を取得するために監視装置１００にアクセスする装置は、例えば、端末装置３２０であってもよい。
【００９５】
また、端末装置３２０は、設備機器４００の機器情報を取得するために、監視サーバ２００や監視サーバ２１０にアクセスしてもよい。この場合、例えば、監視サーバ２００や監視サーバ２１０が備えるハードディスク２４などに、端末装置３２０から送信することが要求された特定情報を保管している装置を特定することができる装置特定情報を記憶させる。これにより、監視サーバ２００や監視サーバ２１０は、装置特定情報に基づいて、特定情報を保管している装置を特定し、特定した装置から特定情報を取得することができる。
【００９６】
本発明に係る監視装置１００の動作を規定する動作プログラムを既存のパーソナルコンピュータや情報端末装置に適用することで、当該パーソナルコンピュータ等を本発明に係る監視装置１００として機能させることも可能である。
【００９７】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【００９８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００９９】
本発明は、設備機器を監視する監視装置と監視装置に接続された監視サーバとを備える監視システムに適用可能である。
【符号の説明】
【０１００】
１１，２１  ＣＰＵ、１２，２２  ＲＯＭ、１３，２３  ＲＡＭ、１４  フラッシュメモリ、１５，２５  ＲＴＣ、１６，２６  タッチスクリーン、１７，２７  電気通信網インターフェース、１８  端末装置インターフェース、１９  設備機器インターフェース、２４  ハードディスク、１００、１２０  監視装置、１０１  機器情報取得部、１０２  装置保管情報記憶部、１０３  サーバ保管情報送信部、１０４  送信要求受信部、１０５  特定情報取得部、１０６  送信要求送信部、１０７  特定情報受信部、１０８  特定情報送信部、１０９  装置特定情報記憶部、１１０  機器情報判別部、２００，２１０  監視サーバ、３００，３１０，３２０  端末装置、４００，４１０，４２０  設備機器、５００  電気通信網、１０００  監視システム
【図１】
2015073151.tif 000003
【図２】
2015073151.tif 000004
【図３】
2015073151.tif 000005
【図４】
2015073151.tif 000006
【図５】
2015073151.tif 000007
【図６】
2015073151.tif 000008
【図７】
2015073151.tif 000009
【図８】
2015073151.tif 000010
【図９】
2015073151.tif 000011
【図１０】
2015073151.tif 000012
【図１１】
2015073151.tif 000013